(57)【要約】【課題】装置の回路規模を大きくせず、製品コストを上げないようにして、ゲインのバラツキ補正を行えるようにした放送信号受信装置を提供する【解決手段】デジタル信号演算処理回路６は、デジタル信号の信号レベルを測定すると共に、デジタル信号をレベル補正して出力するＲＳＳＩ回路１３と、ＲＳＳＩ回路１３からの出力信号をデジタルオーディオ処理するデジタルオーディオ信号処理回路１４とを備え、放送信号の受信開始時毎に、制御回路１７は、信号レベルを一時的に保存し、高周波入力回路の入出力端間のゲインを前記放送信号の受信開始時毎に演算し、高周波入力回路２の入出力端間のゲインを相殺する補正値を演算し、放送信号の受信開始後、ＲＳＳＩ回路１３は、ＲＳＳＩ回路１３に入力されるデジタル信号の信号レベルを、補正値に基づき補正する。【選択図】図１
2014042132.tif 000002
【特許請求の範囲】
【請求項１】
放送信号を受信するためのアンテナに接続される高周波入力端子と、前記放送信号を中間周波数信号に変換する周波数変換回路と、前記高周波入力端子と前記周波数変換回路との間に設けられた高周波入力回路と、前記周波数変換回路から出力された前記中間周波数信号をデジタル信号に変換して出力するアナログデジタル変換回路と、前記アナログデジタル変換回路から出力された前記デジタル信号を入力して復調するデジタル信号演算処理回路と、基準信号を発振させる基準信号発振回路と、少なくとも前記周波数変換回路とデジタル信号演算処理回路とを制御する制御回路とを備えた放送信号受信装置であって、
前記デジタル信号演算処理回路は、前記デジタル信号の信号レベルを測定すると共に、前記デジタル信号をレベル補正して出力するＲＳＳＩ回路と、前記ＲＳＳＩ回路からの出力信号をデジタルオーディオ処理するデジタルオーディオ信号処理回路とを備え、
前記高周波入力回路は、少なくとも前記放送信号を通過させるフィルタ回路を有し、
前記放送信号の受信開始時毎に、前記制御回路は、前記信号レベルを一時的に保存し、前記高周波入力回路の入出力端間のゲインを前記放送信号の受信開始時毎に演算し、前記高周波入力回路の入出力端間のゲインを相殺する補正値を演算し、前記放送信号の受信開始後、前記ＲＳＳＩ回路は、前記ＲＳＳＩ回路に入力される前記デジタル信号の前記信号レベルを、前記補正値に基づき補正することを特徴とする放送信号受信装置。
【請求項２】
前記高周波入力回路及び前記周波数変換回路と前記基準信号発振回路との間には、前記高周波入力回路又は前記周波数変換回路に切り換えて前記基準信号を入力する切換回路を備え、
前記切換回路と前記高周波入力回路との間に、前記高周波入力端子である第１の基準信号入力端を有し、前記切換回路と前記周波数変換回路との間に、第２の基準信号入力端を有し、前記切換回路が前記第１の基準信号入力端に切り換えられて前記ＲＳＳＩ回路に入力される前記デジタル信号の前記信号レベルを第１の信号レベルとし、前記第２の基準信号入力端に切り換えられて前記ＲＳＳＩ回路に入力される前記デジタル信号の前記信号レベルを第２の信号レベルとしたとき、前記ＲＳＳＩ回路は、前記制御回路からの制御により、前記放送信号の受信開始前に前記第１の信号レベル及び前記第２の信号レベルを測定し、前記制御回路は、前記第１の信号レベル及び前記第２の信号レベルを保存すると共に、前記第１の信号レベルと前記第２の信号レベルとの信号レベル差から前記ゲインを演算するようにしたことを特徴とする請求項１に記載の放送信号受信装置。
【請求項３】
前記高周波入力回路には、前記放送信号を増幅する増幅回路と、前記放送信号を分配する分配回路と、平衡不平衡変換回路とのうちの少なくともいずれか一つが含まれていることを特徴とする請求項１又は請求項２に記載の放送信号受信装置。
【請求項４】
前記基準信号の周波数が、前記フィルタ回路の通過帯域内であり、かつ前記放送信号の放送帯域外にあることを特徴とする請求項１乃至請求項３のいずれかに記載の放送信号受信装置。
【請求項５】
前記周波数変換回路には、混合回路と、前記混合回路に局部発振信号を供給する局部発振回路とを備え、前記基準信号発振回路からの信号が、前記局部発振回路の周波数制御用として前記局部発振回路に入力されていることを特徴とする請求項１乃至請求項４のいずれかに記載の放送信号受信装置。
【発明の詳細な説明】
【技術分野】
【０００１】
本発明は、放送信号を受信するための放送信号受信装置に係り、特に、受信装置内の高周波入力回路におけるゲインのバラツキを補正した放送信号受信装置に関する。
【背景技術】
【０００２】
従来、車載用等の放送信号受信装置では、受信アンテナに直接接続される高周波入力回路内に、フィルタ回路及び増幅回路などが設けられている。例えば、特許文献１による第１従来例のＦＭラジオ受信機９０１では、図５に示すように、アンテナ９０２に、相互変調妨害を引き起こす可能性のあるテレビジョン周波数帯域等の信号を減衰させるための低域通過フィルタ回路（ＬＰＦ）９０３が接続されている。そしてその後段に、受信した信号を増幅するＲＦ増幅回路９０４が接続されている。ＲＦ増幅回路９０４で増幅された信号は、混合器９０６において局部発振回路９０５からの信号と混合され中間周波数信号へ周波数変換される。そして、その後段の中間周波数フィルタ回路（ＩＦフィルタ回路）９０７、中間周波数増幅回路（ＩＦ増幅回路）９０８を介して復調回路９０９に入力され、復調される。その後、低周波増幅回路９１０を介して図示せぬスピーカー等でラジオ放送を聴取できるようになっている。
【０００３】
特許文献１による第１従来例に係るＦＭラジオ受信機９０１では、復調回路９０９の入力端における妨害波レベル及び希望波レベルは、相互変調妨害の大きさに直接的に関係している。また、アンテナ９０２と混合器９０６との間には、低域通過フィルタ回路９０３とＲＦ増幅回路９０４が接続されているため、それぞれの回路の挿入損失及び増幅度が復調回路９０９の入力端における妨害波レベル及び希望波レベルに関係してくる。しかし、低域通過フィルタ回路９０３とＲＦ増幅回路９０４それぞれの回路の挿入損失及び増幅度は必ずしも一定の値ではなく、それぞれがばらついている可能性がある。このバラツキ範囲が許容できる範囲以内であれば問題ないが、許容できるバラツキ範囲を超えてしまうと、そのバラツキが各種の機能や性能の判定精度に影響を与えてしまうという問題があった。尚、今後増幅回路の増幅度とフィルタ等における挿入損失とを含めた言い方をする場合、統合してそれをゲインと称することとする。
【０００４】
そこで、上記の問題を解決するため、図６に示す第２従来例に係るＦＭ放送受信用の放送信号受信装置８００が考案された。高周波入力回路８０２は、低域通過フィルタや増幅回路等の回路を含むブロックであり、特許文献１の低域通過フィルタ回路９０３とＲＦ増幅回路９０４に相当する。アンテナ８５１で受信された受信信号が高周波入力回路８０２を介して周波数変換回路８０４に入力されるように構成されていることは、特許文献１によるＦＭラジオ受信機９０１のアンテナ９０２から混合器９０６までの回路と同様である。また、周波数変換回路８０４内には混合回路８０９と、混合回路８０９に局部発振信号を供給する局部発振回路８１０が構成されている。局部発振回路８１０には、基準信号発振回路８０８が接続されており、基準信号発振回路８０８から局部発振回路８１０に周波数制御用の信号を供給している。また、局部発振回路８１０の発振周波数は、制御回路８１７からの制御により、周波数変換回路８０４内に構成されている図示せぬ位相同期回路（ＰＬＬ回路（Phase-locked loop circuit））を用いて周波数制御されている。また、基準信号発振回路８０８には、共振素子としての水晶共振子（Ｘｔａｌ）８１５が接続されている。尚、制御回路８１７は、局部発振回路８１０の発振周波数の制御にとどまらず、放送信号受信装置内のさまざまな処理の制御を行っている。
【０００５】
図６に示す放送信号受信装置８００では、周波数変換回路８０４の後段に前述の特許文献１によるＦＭラジオ受信機９０１内の復調回路９０９に相当するデジタル信号演算処理回路８０６が接続されていて、入力された信号を復調し、その後デジタル信号処理する。また、デジタル信号演算処理回路８０６内の入力側には、入力された信号のレベルを測定するための受信信号強度測定回路（Received Signal Strength Indication 回路、以後ＲＳＳＩ回路と記す）（ＲＳＳＩ）８１３が設けられている。尚、ＲＳＳＩ回路８１３では、入力された信号のレベルを測定するだけでなく、入力された信号に予め制御回路８１７に記憶された定数を足し合わせる補正をするための機能を有している。また、ＲＳＳＩ回路８１３の後段には、ＲＳＳＩ回路８１３からの出力信号をデジタルオーディオ処理するデジタルオーディオ信号処理回路（Ｄｉｇｉｔａｌ  Ａｕｄｉｏ）８１４が接続されている。そして、デジタル信号演算処理回路８０６には、ＲＳＳＩ回路８１３で測定した信号レベル等を記憶しておくための読み出し専用の記憶回路８１６（ＲＯＭ）が接続されている。尚、デジタル信号演算処理回路８０６の前段にはアナログデジタル変換回路（ＡＤＣ）８０５が、また、後段にはデジタルアナログ変換回路（ＤＡＣ）８０７が接続されている。
【０００６】
放送信号受信装置８００では、個々の製品の製造段階において、所定のレベルの信号を高周波入力端子８０１に入力し、ＲＳＳＩ回路８１３でその信号レベルを測定し、その測定結果に基づいた定数を読み出し専用の記憶回路８１６に記憶するようにしていた。そして、実際にＦＭ放送信号が受信された場合には、読み出し専用の記憶回路８１６に記憶されている定数で受信したＦＭ放送信号を足し合わせる補正をＲＳＳＩ回路において行なっていた。そして、レベル補正された信号に対し、デジタルオーディオ信号処理回路８１４において種々のデジタルオーディオ処理を行なうようにしていた。このことによって、ＲＳＳＩ回路８１３に入力される信号のレベルがばらついたとしても、そのバラツキがデジタルオーディオ信号処理回路８１４における各種信号処理に影響を与えることをなくすことができる。
【先行技術文献】
【特許文献】
【０００７】
【特許文献１】特開２００７−３３６１３５号公報
【発明の概要】
【発明が解決しようとする課題】
【０００８】
しかしながら、図６に示すＦＭ放送受信用の放送信号受信装置８００では、ＲＳＳＩ回路８１３に入力される信号のレベルを補正することはできるが、高周波入力回路８０２のゲインバラツキについては補正することができていない。また、ＲＳＳＩ回路８１３で測定した測定結果等が記憶される読み出し専用の記憶回路８１６を備える必要があった。一般的に、放送信号受信装置のうち、高周波入力回路８０２を除く回路のほとんどは集積回路化が可能である。図６のＦＭ放送受信用の放送信号受信装置８００についても、高周波入力回路８０２と、制御回路（ＣＰＵ）８１７と水晶共振子８１５等の一部部品を除き１個の集積回路８０３内に収まるように構成されている。しかし、読み出し専用の記憶回路８１６については、集積回路８０３内に入れることが困難な部品であることから、外付けの部品とせざるを得なかった。そして、読み出し専用の記憶回路８１６を追加した結果、装置全体としては回路規模が大きくなってしまっていた。また、読み出し専用の記憶回路８１６の追加による部品費のアップ、及び製造工程費のアップなどから、製品コストが上がってしまうという問題があった。
【０００９】
本発明は、このような従来技術の実情に鑑みてなされたもので、その目的は、装置の回路規模を大きくすることなく、又製品コストを上げないようにして、高周波入力回路におけるゲインのバラツキ補正を行えるようにした放送信号受信装置を提供することにある。
【課題を解決するための手段】
【００１０】
この課題を解決するために、本発明の放送信号受信装置は、放送信号を受信するためのアンテナに接続される高周波入力端子と、前記放送信号を中間周波数信号に変換する周波数変換回路と、前記高周波入力端子と前記周波数変換回路との間に設けられた高周波入力回路と、前記周波数変換回路から出力された前記中間周波数信号をデジタル信号に変換して出力するアナログデジタル変換回路と、前記アナログデジタル変換回路から出力された前記デジタル信号を入力して復調するデジタル信号演算処理回路と、基準信号を発振させる基準信号発振回路と、少なくとも前記周波数変換回路とデジタル信号演算処理回路とを制御する制御回路とを備えた放送信号受信装置であって、前記デジタル信号演算処理回路は、前記デジタル信号の信号レベルを測定すると共に、前記デジタル信号をレベル補正して出力するＲＳＳＩ回路と、前記ＲＳＳＩ回路からの出力信号をデジタルオーディオ処理するデジタルオーディオ信号処理回路とを備え、前記高周波入力回路は、少なくとも前記放送信号を通過させるフィルタ回路を有し、前記放送信号の受信開始時毎に、前記制御回路は、前記信号レベルを一時的に保存し、前記高周波入力回路の入出力端間のゲインを前記放送信号の受信開始時毎に演算し、前記高周波入力回路の入出力端間のゲインを相殺する補正値を演算し、前記放送信号の受信開始後、前記ＲＳＳＩ回路は、前記ＲＳＳＩ回路に入力される前記デジタル信号の前記信号レベルを、前記補正値に基づき補正するという特徴を有する。
【００１１】
上記の構成で、本発明の放送信号受信装置は、高周波入力回路の入出力端間のゲインを放送信号の受信開始時毎に演算し、その後受信する放送信号のレベルを、演算されたゲインに相当する値分だけ補正するようにした。これらの処理を放送信号の受信開始時毎に行うようにしたため、補正値等を記憶しておくための読み出し専用の記憶回路を特別に設ける必要がなくなった。よって、装置の回路規模を大きくすることなく、又製品コストを上げないようにして、高周波入力回路におけるゲインのバラツキ補正を行えるようにした放送信号受信装置を提供できる。
【００１２】
また、上記の構成において、前記高周波入力回路及び前記周波数変換回路と前記基準信号発振回路との間には、前記高周波入力回路又は前記周波数変換回路に切り換えて前記基準信号を入力する切換回路を備え、前記切換回路と前記高周波入力回路との間に、前記高周波入力端子である第１の基準信号入力端を有し、前記切換回路と前記周波数変換回路との間に、第２の基準信号入力端を有し、前記切換回路が前記第１の基準信号入力端に切り換えられて前記ＲＳＳＩ回路に入力される前記デジタル信号の前記信号レベルを第１の信号レベルとし、前記第２の基準信号入力端に切り換えられて前記ＲＳＳＩ回路に入力される前記デジタル信号の前記信号レベルを第２の信号レベルとしたとき、前記ＲＳＳＩ回路は、前記制御回路からの制御により、前記放送信号の受信開始前に前記第１の信号レベル及び前記第２の信号レベルを測定し、前記制御回路は、前記第１の信号レベル及び前記第２の信号レベルを保存すると共に、前記第１の信号レベルと前記第２の信号レベルとの信号レベル差から前記ゲインを演算するようにしたという特徴を有する。
【００１３】
このように構成された放送信号受信装置は、基準信号を第１又は第２の基準信号入力端に切り替えて出力するための切換回路を備え、切換回路を介して基準信号をＲＳＳＩ回路に入力するようにしたため、容易に高周波入力回路のゲインを測定することができるようになった。
【００１４】
また、上記の構成において、前記高周波入力回路には、前記放送信号を増幅する増幅回路と、前記放送信号を分配する分配回路と、平衡不平衡変換回路とのうちの少なくともいずれか一つが含まれているという特徴を有する。
【００１５】
高周波入力回路に増幅回路、分配回路、平衡不平衡変換回路のうち少なくともいずれか一つが含まれている。しかし、本発明の放送信号受信装置では、高周波入力回路に組み込まれる回路の数がいかに多くても、高周波入力回路の入出力端子間のゲインを測定し、デジタル信号演算処理回路に入力された信号を、高周波入力回路の入出力端子間のゲインに相当する値だけ補正した後にデジタル信号処理するようにしている。そのため、高周波入力回路に組み込まれる回路がいかに多くても、デジタル信号演算処理回路における信号処理が、そのゲインのバラツキに影響されることがない。
【００１６】
また、上記の構成において、前記基準信号の周波数が、前記フィルタ回路の通過帯域内であり、かつ前記放送信号の放送帯域外にあるという特徴を有する。
【００１７】
基準信号の周波数がフィルタ回路の通過帯域内にあるように設定するため、フィルタ回路において、そのレベルを減衰させることなく、基準信号を通過させることができる。また、基準信号の周波数が放送信号の放送帯域外であるように設定するため、受信する放送信号に基準信号が影響を与えるようなことはない。
【００１８】
また、上記の構成において、前記周波数変換回路には、混合回路と、前記混合回路に局部発振信号を供給する局部発振回路とを備え、前記基準信号発振回路からの信号が、前記局部発振回路の周波数制御用として前記局部発振回路に入力されているという特徴を有する。
【００１９】
基準信号発振回路からの信号を、周波数変換回路内の局部発振回路の周波数制御用として用いていると共に、第１の信号レベルと第２の信号レベルの測定用にも使用することができるため、新たに基準信号発振回路を設ける必要がなく、コストアップを伴うことがない。
【発明の効果】
【００２０】
本発明の放送信号受信装置は、高周波入力回路の入出力端間のゲインを放送信号の受信開始時毎に演算し、その後受信する放送信号のレベルを、演算されたゲインに相当する値分だけ補正するようにした。これらの処理を放送信号の受信開始時毎に行うようにしたため、ゲインを記憶しておくための読み出し専用の記憶回路を特別に設ける必要がなくなった。よって、装置の回路規模を大きくすることなく、又製品コストを上げないようにして、高周波入力回路におけるゲインのバラツキ補正を行えるようにした放送信号受信装置を提供できる。
【図面の簡単な説明】
【００２１】
【図１】本発明の実施形態に係る放送信号受信装置の構成を示すブロック図である。
【図２】本発明の実施形態に係る放送信号受信装置に適用される高周波入力回路の構成を示すブロック図である。
【図３】本発明の実施形態に係る放送信号受信装置の基準信号周波数、日本のＦＭ放送帯域、及びフィルタ回路の通過帯域を示す図である。
【図４】本発明の実施形態に係る放送信号受信装置の基準信号周波数、世界の主な地域のＦＭ放送帯域、及びフィルタ回路の変形例の通過帯域を示す図である。
【図５】第１従来例に係るＦＭラジオ受信機の構成を示すブロック図である。
【図６】第２従来例に係る放送信号受信装置の構成を示すブロック図である。
【発明を実施するための形態】
【００２２】
以下、本発明実施形態について、図面を参照しながら説明する。図１は本発明の実施形態に係る放送信号受信装置１００の構成を示すブロック図であり、図２は、本発明の実施形態に係る放送信号受信装置１００にて適用される高周波入力回路２の構成を示すブロック図である。また、図３は、本発明の実施形態に係る放送信号受信装置１００の基準信号周波数と、日本のＦＭ放送帯域と、フィルタ回路２ｃの通過帯域との関係を示す図である。また、図４は、本発明の実施形態に係る放送信号受信装置１００の基準信号周波数と、世界の主な地域のＦＭ放送帯域と、フィルタ回路２ｃの変形例の通過帯域との関係を示す図である。
【００２３】
[実施形態]
本発明の実施形態に係る放送信号受信装置１００は、ＦＭ放送受信用であって、図１に示すように、放送信号受信用のアンテナ５１で受信され、高周波入力端子１を介して受信された放送信号が、高周波入力回路２を通って周波数変換回路４に入力される。周波数変換回路４は、混合回路９と局部発振回路１０とで構成されており、局部発振回路１０の発振周波数は、周波数変換回路４内にある図示せぬ位相同期回路（ＰＬＬ回路（Phase-locked loop circuit））で周波数制御されている。局部発振回路１０には、周波数制御用の所定の周波数を有した信号が基準信号発振回路８から供給される。尚、基準信号発振回路８には、共振素子としての水晶共振子（Ｘｔａｌ）１５が接続されている。また、混合回路９では、入力された放送信号が局部発振回路１０からの局部発振信号と混合されて中間周波数信号に変換された後、後段のアナログデジタル変換回路（ＡＤＣ）５に入力される。
【００２４】
アナログデジタル変換回路５に入力された中間周波数信号は、デジタル信号に変換された後、デジタル信号演算処理回路６に入力される。デジタル信号演算処理回路６内の入力側には、ＲＳＳＩ回路（ＲＳＳＩ）１３が設けられていて、入力される信号のレベルを測定できるようになっている。また、ＲＳＳＩ回路１３には、レベル補正機能が備わっており、入力信号のレベル値を制御回路（ＣＰＵ）１７から指示された大きさに従って補正することができるようになっている。
【００２５】
デジタル信号演算処理回路６では、入力された信号が復調され、その後、デジタルオーディオ信号処理回路（Ｄｉｇｉｔａｌ  Ａｕｄｉｏ）１４に入力される。デジタルオーディオ信号処理回路１４では、入力されるデジタル信号に応じて、ソフトミュート、ハイカットコントロール、ブレンドコントロール等の種々のデジタルオーディオ処理が施される。これらのデジタルオーディオ処理は、デジタルオーディオ信号処理回路１４に入力される信号のレベルを基にして制御される。
【００２６】
デジタルオーディオ信号処理回路１４でデジタルオーディオ処理されたデジタル信号は、デジタルアナログ変換回路（ＤＡＣ）７に入力され、アナログ信号に変換される。アナログ信号に変換されたオーディオ信号は、後段の図示せぬオーディオ増幅回路及びスピーカー等を介して聴取できるようになっている。
【００２７】
尚、放送信号受信装置１００には制御回路１７が設けられており、例えば、受信する放送信号の周波数を指定する場合、前述の周波数変換回路４内のＰＬＬ回路によって周波数制御を行うようにしている。また、前述のソフトミュート、ハイカットコントロール、ブレンドコントロール等の種々のデジタルオーディオ処理についても、制御回路１７からの制御によって実施されている。その他の種々の回路制御も制御回路１７からの制御によって実施される。
【００２８】
基準信号発振回路８で生成された基準信号は、前述したように周波数変換回路４内の局部発振回路１０に入力されていると共に、切換回路１２にも入力される。尚、基準信号発振回路８内に図示せぬバッファ増幅回路が接続されていても良い。また、基準信号発振回路８では、水晶共振子１５を共振素子として使用し、水晶共振子１５の共振周波数で発振させることができる。しかし、切換回路１２に入力する基準信号としては、水晶共振子１５の共振周波数の信号そのままではなく、共振周波数の２倍の高調波等の信号を使用しても良い。尚、放送信号受信装置１００では、水晶共振子１５の共振周波数を３７．５ＭＨｚとし、基準信号発振回路８内にあるバッファ増幅回路を介して、水晶共振子１５の共振周波数の２倍の高調波である７５ＭＨｚの信号を切換回路１２に出力している。
【００２９】
本発明の実施形態に係る放送信号受信装置１００では、ＦＭ放送を受信する都度、ＦＭ放送を受信開始前に、最初に制御回路１７から周波数変換回路４に対し、基準信号の周波数である７５ＭＨｚの信号を受信可能とするように制御を行う。７５ＭＨｚの信号が受信可能となったら、切換回路１２の切換入力端子１２ａが切換出力端子１２ｂに接続される。そして、基準信号が切換回路１２を介して高周波入力端子１である第１の基準信号入力端２１に入力される。第１の基準信号入力端２１に入力された基準信号は、高周波入力回路２を通って周波数変換回路４に入力されて中間周波数信号に変換され、アナログデジタル変換回路５を介してデジタル信号演算処理回路６に入力される。そして、その基準信号は、デジタル信号演算処理回路６内のＲＳＳＩ回路１３に入力されると共に、信号レベルを測定され、測定された信号レベルが制御回路１７内に一時的に保存される。この信号レベルを第１の信号レベルとする。
【００３０】
次に、切換回路１２の切換入力端子１２ａが切換出力端子１２ｃに切り換えられ、基準信号が切換回路１２を介して周波数変換回路４の入力端である第２の基準信号入力端２２に入力される。そして、周波数変換回路４で中間周波数信号に変換され、アナログデジタル変換回路５を介してデジタル信号演算処理回路６に入力される。そして、基準信号は、デジタル信号演算処理回路６内のＲＳＳＩ回路１３に入力されると共に、その信号レベルを測定される。測定された信号レベルも制御回路１７に一時的に保存される。この信号レベルを第２の信号レベルとする。尚、第２の信号レベル測定後には、切換回路１２の切換入力端子１２ａは切換端子１２ｄに切り換えられ、基準信号は切換回路１２から出力されない。また、上記では、第１の信号レベルを第２の信号レベルより先に測定するように記述したが、この順番は逆であっても特に問題はない。
【００３１】
次に、制御回路１７は、一時的に制御回路１７内に保存されていた第１の測定レベルと第２の測定レベルとの信号レベル差を演算する。第１の測定レベルと第２の測定レベルとの信号レベル差は、高周波入力回路２の入出力端間のゲインに相当する。制御回路１７は、高周波入力回路２の入出力端間のゲインの値を演算する。そして、ＦＭ放送の受信開始後に入力される放送信号を、ＲＳＳＩ回路１３において、このゲインの値によってレベル補正するようにする。即ち、高周波入力回路２のゲインを相殺するレベル補正を行なうようにする。
【００３２】
具体的には、制御回路１７が、高周波入力回路２内の各回路の挿入損失又は増幅度の名目上のセンター値をそれぞれ足し合わせて、高周波入力回路２のゲインセンター値を設定する。次に、演算された現実の高周波入力回路２のゲインと、この高周波入力回路２のゲインセンター値との間の差を演算し、その差を補正値とする。尚、この補正値は、ゲインセンター値に対する値によってプラスの補正値であったり、マイナスの補正値であったりする。そして、ＲＳＳＩ回路１３において、入力された信号にこの補正値を足し合わせて出力する。従って、デジタルオーディオ信号処理回路１４には、高周波入力回路２のゲインのバラツキによらない信号が入力されることになる。そして、この補正された信号を、デジタル信号演算処理回路６における種々のデジタルオーディオ処理において用いるようにする。尚、このような第１及び第２の信号レベルの測定、第１と第２の測定レベル値の差の演算、及び信号レベルの補正等は、放送信号の受信開始時毎に行われる。
【００３３】
このような構成にすることによって、所定レベルの信号を入力した時のＲＳＳＩ回路１３に入力される信号レベル及び補正値を製品製造時から記憶しておくための読み出し専用の記憶回路を特別に持つ必要はない。また、製造工程上でも工程の追加はなく、製造工程コストが上乗せされることはない。従って、装置の回路規模を大きくせず、又製品コストを上げないようにして、高周波入力回路２におけるゲインのバラツキ補正を行えるようにすることができる。また、これらの処理を受信開始時毎に行うようにしたため、経年変化を含めた製品個々のバラツキに自動的に対応できるようになった。
【００３４】
尚、放送信号受信装置１００を構成している回路のうち、周波数変換回路４、アナログデジタル変換回路５、デジタル信号演算処理回路６、デジタルアナログ変換回路７、基準信号発振回路８、及び切換回路１２は、それぞれ、集積回路化が可能である。従って、これらの回路は１個の集積回路３に内蔵されている。
【００３５】
図２は、本発明の実施形態に係る放送信号受信装置１００にて適用される高周波入力回路２の具体的な構成を示すブロック図である。
【００３６】
高周波入力回路２において、アンテナ５１が接続される高周波入力端子１には、増幅回路２ａの入力端が接続され、その出力端に分配回路（Ｓｐｌｉｔｔｅｒ）２ｂが接続されている。アンテナ５１には、ＦＭ放送信号以外の放送、例えば、ＡＭラジオ放送、短波放送等の他の放送信号も受信されてくる。また、車載用の放送信号受信装置の場合、ＦＭ放送信号受信回路を複数個設け、ダイバーシティ受信することも考えられるが、その場合、アンテナ５１で受信した信号を分配する必要がある。また、道路交通情報通信システム用としてＦＭ放送信号受信装置を用いる場合もあり、その場合にもアンテナ５１で受信した信号を分配する必要がある。そのため、高周波入力回路２において分配回路２ｂを構成し、受信信号を分配するようにしている。尚、受信して分配する周波数帯域がそれぞれ異なる場合は、分配回路２ｂの代わりに分波回路を用いるようにしても良い。
【００３７】
分配回路２ｂから出力された放送信号の一部は、ＦＭ信号を所定の周波数帯域で通過させるフィルタ回路２ｃに入力され、テレビジョン信号やその他の不要な信号を減衰させてＦＭ放送信号を通過させる。そして、フィルタ回路２ｃの出力信号が増幅回路２ｄで増幅される。高周波入力端子１から増幅回路２ｄまでは、不平衡回路で構成されているため、増幅回路２ｄの出力端は不平衡出力端となっている。しかし、周波数変換回路４内の混合回路９の入力端が平衡入力端であるため、その間を平衡不平衡変換する必要があり、増幅回路２ｄの出力端と高周波入力回路２の出力端との間に平衡不平衡変換回路（Ｂａｌｕｎ）２ｅが接続される。尚、増幅回路２ａ及び２ｄは、集積回路化が可能な回路であるため、集積回路３内に構成されていても良い。
【００３８】
上記のように、高周波入力回路２には、種々の回路が存在し、それぞれの回路の挿入損失のバラツキ及び増幅度のバラツキが重ね合わされることになるため、ゲインのバラツキ範囲は、回路が例えばフィルタ回路２ｃだけの場合に比べて非常に大きくなってしまう。しかし、本発明の放送信号受信装置１００においては、高周波入力回路２に組み込まれる回路の数に関係なく、高周波入力回路２の入出力端子間のゲインを演算し、そのゲインに相当する分だけ補正してデジタル信号処理するようにしている。そのため、高周波入力回路２に組み込まれる回路がいかに多くても、デジタル信号演算処理回路６における信号処理が、高周波入力回路２のゲインのバラツキに影響されることがない。
【００３９】
図３は、本発明の実施形態に係る放送信号受信装置１００の基準信号周波数と、日本のＦＭ放送帯域と、フィルタ回路２ｃの通過帯域との関係を示す図である。また、図４は、本発明の実施形態に係る放送信号受信装置１００の基準信号周波数と、世界の主な地域のＦＭ放送帯域と、フィルタ回路２ｃの変形例の通過帯域との関係を示す図である。
【００４０】
世界におけるＦＭ放送信号周波数は、それぞれの地域毎に周波数帯域が割り振られている。例えば、図４に示すように、日本においては７６ＭＨｚから９０ＭＨｚ、北米及び西欧においては８７．５ＭＨｚから１０８ＭＨｚ、そして東欧及びロシアにおいては６４ＭＨｚから７４ＭＨｚとなっている。
【００４１】
各地域向けの放送信号受信装置では、各地域毎の周波数帯域に合わせたフィルタ回路を設計することが一般的であり、例えば日本向けの場合、図３に示すように、フィルタ回路２ｃの通過帯域は、日本のＦＭ放送帯域である７６ＭＨｚから９０ＭＨｚを含んでいる。
【００４２】
前述したように、基準信号は、第１の信号レベル測定のために、高周波入力端子１である第１の基準信号入力端２１に入力され、高周波入力回路２内のフィルタ回路２ｃを通って周波数変換回路４に入力されるようになっている。従って、基準信号の周波数は、フィルタ回路２ｃの通過帯域内になければならない。しかしながら、フィルタ回路２ｃの通過帯域内には、その地域向けのＦＭ放送帯域が存在する。もしも、基準信号の周波数をフィルタ回路２ｃの通過帯域内に設定したとしても、その地域におけるＦＭ放送帯域内に設定してしまったら、ＦＭ放送受信時に基準信号が妨害信号となってしまう可能性がある。従って、基準信号の周波数は、フィルタ回路２ｃの通過帯域内であり、かつＦＭ放送帯域外であることが必要である。
【００４３】
本発明の放送信号受信装置１００においては、図３に示すように、基準信号の周波数を、日本のＦＭ放送帯域の下端である７６ＭＨｚよりも下の周波数の７５ＭＨｚに設定した。また、フィルタ回路２ｃの通過帯域は、基準信号の周波数７５ＭＨｚ、及び日本のＦＭ放送帯域である７６ＭＨｚから９０ＭＨｚを含む７５ＭＨｚから９０ＭＨｚに設定した。これにより、基準信号の周波数を、フィルタ回路２ｃの通過帯域内であり、かつ日本のＦＭ放送帯域外とすることができている。
【００４４】
前述したように、各地域向けの放送信号受信装置では、各地域毎の周波数帯域に合わせたフィルタ回路を設計することが一般的である。しかし、ＦＭ放送信号受信装置の場合、世界におけるＦＭ放送帯域は、図４に示すように各周波数帯域が比較的近いため、それぞれの周波数帯域を全て含むフィルタ回路としても問題がない。従って、図４に示す本発明のフィルタ回路２ｃの変形例では、６４ＭＨｚから１０８ＭＨｚまでを通過帯域としている。そして、基準信号の周波数を、日本のＦＭ放送帯域の下端である７６ＭＨｚよりも下で、東欧・ロシアのＦＭ放送帯域の上端である７４ＭＨｚよりも上の７５ＭＨｚに設定した。これにより、基準信号の周波数を、フィルタ回路２ｃの通過帯域内であり、かつ世界の主な地域のＦＭ放送帯域外に設定することができている。また、フィルタ回路２ｃの変形例は、６４ＭＨｚから１０８ＭＨｚまでの通過帯域としているため、使用する地域による機種バラエティは生じないようにでき、管理費を抑えることができる。
【００４５】
以上説明したように、本発明の放送信号受信装置１００は、高周波入力回路２の入出力端間のゲインを放送信号の受信開始時毎に演算し、その後受信する放送信号のレベルを、演算されたゲインに相当する分だけ補正するようにした。これらの処理を放送信号の受信開始時毎に行うようにしたため、補正値等を記憶しておくための読み出し専用の記憶回路を特別に設ける必要がなくなった。よって、装置の回路規模を大きくすることなく、又製品コストを上げないようにして、高周波入力回路２におけるゲインのバラツキ補正を行えるようにした放送信号受信装置１００を提供できる。
【００４６】
また、本発明の放送信号受信装置１００は、基準信号を第１の基準信号入力端２１又は第２の基準信号入力端２２に切り替えて出力するための切換回路１２を備え、切換回路１２を介して基準信号をＲＳＳＩ回路１３に入力するようにした。そのため、容易に信号レベルを測定することができる。
【００４７】
また、本発明の放送信号受信装置１００は、高周波入力回路２に増幅回路２ａ，２ｄ、分配回路２ｂ、平衡不平衡変換回路２ｅのうち少なくともいずれか一つを含んでいる。しかし、本発明の放送信号受信装置１００では、高周波入力回路２に組み込まれる回路の数がいかに多くても、高周波入力回路２の入出力端子間のゲインを測定し、そのゲインに相当する分だけ補正してデジタル信号処理するようにしている。そのため、高周波入力回路２に組み込まれる回路がいかに多くても、デジタル信号演算処理回路６における信号処理が、そのゲインのバラツキに影響されることはない。
【００４８】
また、本発明の放送信号受信装置１００は、基準信号の周波数がフィルタ回路２ｃの通過帯域内にあるように設定するため、フィルタ回路２ｃにおいて、基準信号を、そのレベルを減衰させることなく通過させることができる。また、基準信号の周波数が放送信号の放送帯域外であるように設定するため、受信する放送信号に基準信号が影響を与えるようなことはない。
【００４９】
基準信号発振回路８からの信号を、周波数変換回路４内の局部発振回路１０の周波数制御用として用いていると共に、第１の信号レベルと第２の信号レベルの測定用にも使用することができる。そのため、新たに基準信号発振回路を設ける必要がなく、コストアップを伴うことがない。
【符号の説明】
【００５０】
１        高周波入力端子
２        高周波入力回路
２ａ      増幅回路
２ｂ      分配回路
２ｃ      フィルタ回路
２ｄ      増幅回路
２ｅ      平衡不平衡変換回路
３        集積回路
４        周波数変換回路
５        アナログデジタル変換回路
６        デジタル信号演算処理回路
７        デジタルアナログ変換回路
８        基準信号発振回路
９        混合回路
１０      局部発振回路
１２      切換回路
１２ａ    切換入力端子
１２ｂ    切換出力端子
１２ｃ    切換出力端子
１２ｄ    切換端子
１３      ＲＳＳＩ回路
１４      デジタルオーディオ信号処理回路
１５      水晶共振子
１７      制御回路
２１      第１の基準信号入力端
２２      第２の基準信号入力端
５１      アンテナ
１００    放送信号受信装置
【図１】
2014042132.tif 000003
【図２】
2014042132.tif 000004
【図３】
2014042132.tif 000005
【図４】
2014042132.tif 000006
【図５】
2014042132.tif 000007
【図６】
2014042132.tif 000008